(57)【要約】【課題】複数のユーザが同時に使用する場合においても、ユーザが直感的且つ容易に操作することができる電子黒板システムを提供する。【解決手段】電子黒板システムにおいて、表示装置８０１は、表示手段８０３に表示するドキュメントの制御を行う制御手段８０６と、入力装置８０２との間で入力装置８０２が持つ固有の入力装置識別子情報の通信を行う入力装置判別手段８０５とを備える。入力装置８０２は、複数の入力装置間で、または表示装置８０１との間で入力装置識別子情報の通信を行う入力装置判別手段８０８を備える。そして、制御手段８０６は、通信が行われると、ドキュメントの操作及び編集の処理方法を変更する制御を行う。【選択図】図４
2008118301.tif 000002
【特許請求の範囲】
【請求項１】
ドキュメントを表示するための表示装置と、前記表示装置上の前記ドキュメントの操作及び編集を行う複数の入力装置を備える電子黒板システムにおいて、
前記表示装置は、
前記ドキュメントを表示する表示手段と、
前記複数の入力装置による入力操作を前記入力装置毎に区別し検出する入力検出手段と、
前記入力検出手段により検出された前記入力装置による入力操作により、前記表示手段に表示するドキュメントの制御を行う制御手段と、
前記入力装置との間で前記入力装置が持つ固有の入力装置識別子情報の通信を行う入力装置判別手段とを備え、
前記入力装置は、
前記複数の入力装置間で、または前記表示装置との間で前記入力装置識別子情報の通信を行う入力装置判別手段を備え、
前記制御手段は、前記通信が行われると、前記ドキュメントの操作及び編集の処理方法を変更する制御を行うことを特徴とする電子黒板システム。
【請求項２】
前記表示装置の前記入力装置判別手段は、前記表示装置の前記表示手段の近傍に配置され、前記入力手段による操作の機能を示す複数のアイコンから構成されることを特徴とする請求項１記載の電子黒板システム。
【請求項３】
前記表示装置の前記入力装置判別手段は、前記表示装置のリモートコントロール装置上に配置され、前記入力手段による操作の機能を示す複数のアイコンから構成されることを特徴とする請求項１記載の電子黒板システム。
【請求項４】
前記複数の入力装置の前記入力装置判別手段間、または前記入力装置の前記入力装置判別手段と前記表示装置の前記入力装置判別手段間で行う前記入力装置識別子情報の通信は、ユーザが前記複数の入力装置に同時に接触することにより、またはユーザが前記入力装置と前記表示装置の前記入力装置判別手段に同時に接触することにより、ユーザ自身を通信媒体として利用し人体を介して行うことを特徴とする請求項１記載の電子黒板システム。
【発明の詳細な説明】
【技術分野】
【０００１】
本発明は、表示装置に画像情報及びテキスト情報により構成されるドキュメントを表示し、デジタイザ等の入力装置により、複数のユーザが表示装置に表示されるドキュメントを直接操作し、編集を行うことが可能な電子黒板システムに関する。
【背景技術】
【０００２】
従来から、大画面表示装置に画像情報及びテキスト情報により構成されるドキュメントを表示することにより、会議やプレゼンテーション及び講義を行う電子黒板システムが存在する。
【０００３】
図１４は、第１の従来例に係る電子黒板システムにおけるユーザ操作を示す図である。
【０００４】
図１４において、デジタイザやペン等の入力装置２０３によりユーザ２０１が表示装置２０２の画面上にテキストやイラスト等のドキュメントを描画することが可能である（例えば、下記非特許文献１を参考）。
【０００５】
近年、表示装置の大画面化が進み、プラズマディスプレイやフロントプロジェクタ及びリアプロジェクションディスプレイにおいては１００インチを超える画面サイズの表示装置も存在する。
【０００６】
このように、会議やプレゼンテーション及び講義等に使用する表示装置の大型化が進むことは、より情報を大きく見やすく表示し、またより多くの情報を表示することが可能になるメリットがある。そして、それとともに、大型化により複数のユーザが表示装置の前に立ち、複数の入力装置を用いて共同でドキュメントの編集を行うことが可能になる。このことで、より議論が活発になりクリエイティブなコラボレーションを実現する一助となる。
【０００７】
反面、会議やプレゼンテーション及び講義等に使用する表示装置の大型化が進むことは、ユーザの操作性を悪化させるデメリットも顕在化する。以下、図１５乃至図１７を用いて大画面表示装置の画面上にタッチパネル等を組み合わせ、デジタイザやペン等の入力装置によりユーザが表示装置の画面上にテキストやイラストを描画する際に顕在化する課題について説明する。
【０００８】
図１５は、第２の従来例に係る電子黒板システムにおけるユーザ操作を示す図である。
【０００９】
図１５は、ユーザ３０１、３０２が表示装置３０３の画面３０４の周囲に配置された機能ボタン３０７を押下することにより、デジタイザ３０５、３０６の機能を変更し、ドキュメントの操作及び編集を行う場合について図示したものである。ここでは大画面においてもデジタイザの機能変更を行いやすいように、画面３０４の左右に機能ボタン３０７を配置している。
【００１０】
ユーザＡ３０１がデジタイザ３０５の機能を消去ツールからペンツールに変更する場合、ユーザＡ３０１はペンアイコンが図示された機能ボタン３０７を押下する。このことにより、表示装置３０３は以降のデジタイザ３０５による操作をペンツールによる操作として処理する。
【００１１】
しかし図１５の例では、ユーザＡ３０１が機能ボタン３０７を押下してデジタイザ３０５の機能を変更すると、ユーザＢ３０２が持つデジタイザ３０６の機能も変更されてしまい、ユーザＢ３０２が意図しないデジタイザ３０６の機能に変更されてしまう課題がある。
【００１２】
上記の課題を解決するために、図１６に示す電子黒板システムも提案されている。
【００１３】
図１６において、デジタイザ４０５、４０６は個別の識別子を持ち、デジタイザ４０５、４０６で機能ボタン４０７を押下すると表示装置４０３にデジタイザ４０５、４０６の識別子を通知することにより、表示装置４０３は各デジタイザに機能を設定できる。
【００１４】
しかし図１６のシステムでは、ユーザＡ４０１がデジタイザ４０５の機能を変更するために、デジタイザ４０５を画面４０４の編集領域から機能ボタン４０７まで移動させなければならない。その結果、デジタイザ４０５だけでなくユーザ４０１の視線も移動し、思考が中断されてしまう課題がある。
【００１５】
上記の課題を解決するために、図１７に示す電子黒板システムも提案されている。
【００１６】
図１７において、デジタイザ５０５付近の画面５０４に機能ツールウィンドウ５０８を表示させ、ユーザ５０１はデジタイザ５０５で機能ツールウィンドウ５０８に表示された機能アイコンを選択すると表示装置５０３にデジタイザ５０５の識別子を通知する。表示装置５０３は各デジタイザ５０５、５０６に機能を設定できる。
【００１７】
デジタイザ５０５付近の画面５０４に機能ツールウィンドウ５０８を表示させるために、デジタイザ５０５に機能ツールウィンドウ５０８を表示するためのボタンを設け、そのボタンをクリックすることにより、機能ツールウィンドウ５０８を表示する場合がある。また、デジタイザ５０５で所定のペンジェスチャを行うことにより、機能ツールウィンドウ５０８を表示する場合がある。
【００１８】
この場合には上記の視線が移動し、思考が中断される課題は解決するが、デジタイザ５０５の機能を変更するためには機能ツールウィンドウ５０８を表示するための操作をユーザが覚える必要があるため直感的な操作とは言えない。また、デジタイザ５０５の機能を変更するためには、１：機能ツールウィンドウ５０８を表示させる。２：機能アイコンを選択する、という２つのステップの操作を行う必要があり、これもまた直感的な操作とは言えず思考が中断される課題は依然として残っていた。
【００１９】
このような問題を解決するシステムとして、以下の技術が提案されている。
【００２０】
入力操作がデジタイザやペン等により行われたか、ユーザの指により行われたか判定する。デジタイザやペン等により行われた場合には描画処理を行い、指により行われた場合には画面のスクロール処理を行うことにより、ペンと指による入力を併用し、これらを容易に使い分けることで自然な操作を実現する（例えば、下記特許文献１を参考）。
【００２１】
また、第一の入力の近傍で第二の入力があった際にメニューが表示され、機能を選択することにより、操作メニューを操作している近傍に表示することができ、操作性を向上させるための提案が存在する（例えば、下記特許文献２を参考）。この提案では人差し指で操作している際に中指を画面にタッチすれば操作メニューを表示できる。
【００２２】
また、ユーザの機能変更のための操作を極力減らすための提案が存在する（例えば、下記特許文献３を参考）。
【００２３】
この提案では、画面上にアノテーションを行う描画モードとアプリケーションを操作する操作モードがあり、ドラッグ距離が短い場合には描画モードから操作モードに自動的に変更し、スクロールバーでドラッグが停止したら描画モードから操作モードに変更する。
【００２４】
また、より少ない操作で電子黒板システムの操作を実現する提案が存在する（例えば、下記特許文献４、５を参考）。
【００２５】
この提案では、ユーザが画面上でデジタイザやペン等により所定のペンジェスチャ操作を行った場合、ペンジェスチャを認識し編集を行うための機能を変更したり、操作に必要なメニューを表示する。
【特許文献１】特許第２５９９０１９号
【特許文献２】特開２００１−２６５４７５号公報
【特許文献３】特開２００５−０９２５３８号公報
【特許文献４】特開２００５−０９２６４３号公報
【特許文献５】特開２００５−０９２４４７号公報
【非特許文献１】「パイオニア株式会社  サイバーボード」２００４年、http://wwwＢsc.pioneer.co.jp/cＡtＡlog/cＡtegory/fset_cyＢerＢoＡrd.html
【発明の開示】
【発明が解決しようとする課題】
【００２６】
前述のように表示装置の画面上に複数のデジタイザ等の入力装置を組み合わせた電子黒板システムにおいて、複数のデジタイザ毎に機能を割り当てて操作及び編集を行う場合に、直感的かつ少ない操作でデジタイザの機能を変更できないという課題が存在する。
【００２７】
また、特許文献１は、小型の個人用の情報端末においては有効であるが、複数のユーザが共同で使用する大型の表示装置に直接指を触れて操作するので、指紋や皮脂が表示面に付着し、表示装置の視認性を損ねてしまう問題があった。
【００２８】
また、特許文献２は、直感的な操作とは言えずユーザが操作を習得しなければならない問題があった。
【００２９】
また、特許文献３は、ユーザによる操作は千差万別であることから、必ずしもユーザが意図したようにモードを自動的に切り替わらない問題や、ユーザの意図と反してモードが自動的に切り替わってしまう問題がある。不完全な自動認識よりは直感的かつ簡単な操作でモードを変更できた方が現実的には使いやすい。
【００３０】
また、特許文献４及び特許文献５は、ペンジェスチャによりより少ない操作で電子黒板システムの操作を可能とするが、特許文献２における問題と同様に、直感的な操作とは言えず、ユーザが操作を習得しなければならない問題があった。
【００３１】
本発明の目的は、複数のユーザが同時に使用する場合においても、ユーザが直感的且つ容易に操作することができる電子黒板システムを提供することにある。
【課題を解決するための手段】
【００３２】
上記目的を達成するために、請求項１記載の電子黒板システムは、ドキュメントを表示するための表示装置と、前記表示装置上の前記ドキュメントの操作及び編集を行う複数の入力装置を備える電子黒板システムにおいて、前記表示装置は、前記ドキュメントを表示する表示手段と、前記複数の入力装置による入力操作を前記入力装置毎に区別し検出する入力検出手段と、前記入力検出手段により検出された前記入力装置による入力操作により、前記表示手段に表示するドキュメントの制御を行う制御手段と、前記入力装置との間で前記入力装置が持つ固有の入力装置識別子情報の通信を行う入力装置判別手段とを備え、前記入力装置は、前記複数の入力装置間で、または前記表示装置との間で前記入力装置識別子情報の通信を行う入力装置判別手段を備え、前記制御手段は、前記通信が行われると、前記ドキュメントの操作及び編集の処理方法を変更する制御を行うことを特徴とする。
【発明の効果】
【００３３】
本発明の電子黒板システムにおいて、表示装置は、表示手段に表示するドキュメントの制御を行う制御手段と、入力装置との間で入力装置が持つ固有の入力装置識別子情報の通信を行う入力装置判別手段とを備える。入力装置は、複数の入力装置間で、または表示装置との間で入力装置識別子情報の通信を行う入力装置判別手段を備える。そして、制御手段は、通信が行われると、ドキュメントの操作及び編集の処理方法を変更する制御を行う。
【００３４】
このように、複数の入力装置間で、または入力装置と表示装置との間で入力装置識別子情報の通信が行われると、ドキュメントの操作及び編集の処理方法を変更するので、複数のユーザが同時に使用する場合においても、ユーザが直感的且つ容易に操作することができる。
【発明を実施するための最良の形態】
【００３５】
以下、本発明の実施の形態を図面を参照しながら詳細に説明する。
【００３６】
（第１の実施の形態）
図１は、本発明の第１の実施の形態に係る電子黒板システムの外観を示す図である。
【００３７】
図１において、電子黒板システムは、スクリーン１０４を有するリアプロジェクション型の表示装置１０３及び、入力装置としてのデジタイザ１０５、１０６から構成され、教育の場やオフィスにおいて電子黒板として用いられる。
【００３８】
ユーザ１０１、１０２はデジタイザ１０５、１０６を用いてテキストやイラストを描画し、また表示されたアプリケーションを操作しながら説明及び議論を行っている。デジタイザ１０５、１０６の座標検出方式は、従来から実現されている光学式または電磁誘導方式を用いている。
【００３９】
ここでは大画面においてもデジタイザの機能変更を行いやすいように、スクリーン１０４の左右にホワイトボード機能を操作するための機能ボタン１０７を配置している。ユーザ１０１、１０２は、表示装置１０３のスクリーン１０４の周囲に配置された機能ボタン１０７を押下することにより、デジタイザ１０５、１０６の機能を変更し、ドキュメントの操作及び編集を行うことが可能である。
【００４０】
例えばユーザＡ１０１がデジタイザの機能を消去ツールからペンツール変更する場合、ユーザＡ１０１は、ペンアイコンが図示された機能ボタン１０７を押下する。このことにより、表示装置１０３は以降のデジタイザ１０５による操作をペンツールによる操作として処理するが、このデジタイザの機能の変更に関しては後述する。
【００４１】
図２は、図１の電子黒板システムの光学配置を示す図である。
【００４２】
図２において、電子黒板システムは、表示装置１０３の筐体６０１、映像出力源６０２、反射ミラー６０３、フレネルレンズ６０４、レンチキュラースクリーン６０５、冷却装置６０６を備える。
【００４３】
図示するように、表示装置の筐体６０１は前面が開口された中空直方体状を呈しており、その開口部には、垂直方向に沿うようにフレネルレンズ６０４及びレンチキュラースクリーン６０５が装着される。ここで、前面にレンチキュラースクリーン６０５が位置し、後面にフレネルレンズ６０４が位置するように重ね合わせて、エスカッションと呼ばれる前面パネルと共にスクリーンユニットとして設置されている。
【００４４】
筐体６０１の下部には、上方へ出力部を向けて映像出力源６０２が配置されており、その上方の筐体６０１の上部天井部近傍には、反射ミラー６０３が配置されている。この反射ミラー６０３は、映像出力源６０２とスクリーン面に臨むように傾斜させて配置されている。
【００４５】
反射ミラー６０３の傾斜角度は、映像出力源６０２から出力された映像光が反射ミラー６０３にて反射されて、スクリーンユニットの略全面に亘って背面から投影されるような角度に設定されている。
【００４６】
そして、電子黒板システムは、反射ミラー６０３にて反射された映像光が、フレネルレンズ６０４を介してレンチキュラースクリーン６０５の正面から視認しうるように投影されるような光学配置に構成されている。また、映像出力源６０２には、光源ランプとして例えば高圧水銀ランプが使われ、熱を発生させるため、筐体６０１内を冷却するための冷却装置６０６も備える。
【００４７】
図３は、図１の電子黒板システムのハードウェア構成を示す図である。
【００４８】
電子黒板システムは、ＣＰＵ７０１、ＲＡＭ７０２、ＲＯＭ７０３、ＨＤＤ７０４、ネットワークＩ／Ｆ７０５、入力機器Ｉ／Ｆ７０６、ディスプレイＩ／Ｆ７０７、撮像装置Ｉ／Ｆ７０８、音声入出力機器Ｉ／Ｆ７−９、キーボード７１０を備える。
【００４９】
また、電子黒板システムは、デジタイザ７１１、ディスプレイ７１２、撮像装置７１３、音声入力装置７１４、音声出力機器７１５、バス７１６を備える。
【００５０】
ＣＰＵ７０１は、電子黒板システム全体の制御に加え、電子黒板システムにおける制御方法を実現するプログラムデータが指示する処理を行う。ＲＡＭ７０２は、ＣＰＵ７０１の動作に必要な作業メモリとして使用される。ＲＯＭ７０３は、ＣＰＵ７０１に必要な命令やデータを格納する。
【００５１】
ＨＤＤ７０４は、電子黒板システムにおける制御方法を実現するプログラムデータ自体を格納する。また、電子黒板システムにおける制御方法を実現するプログラムデータの動作に必要な電子黒板システムにおける会議データ等のデータベース情報やデータの格納も行う。
【００５２】
ネットワークＩ／Ｆ７０５は、ネットワーク７１１７に接続するための通信制御を処理するが、環境に応じてさまざまな通信インターフェースが適用される。アクセス網に直接接続する場合は各種モデムやターミナルアダプタなどで構成され、外部装置のＡＤＳＬモデムやケーブルモデムに接続する場合はイーサーネットインタフェースで構成される。
【００５３】
当該電子黒板システムが保持しない情報を取得する場合や、ネットワーク７１７を介して遠隔地間で電子黒板システムを接続し、遠隔会議を行う場合に利用されるが、本実施の形態ではネットワーク７１７の利用については詳述しない。
【００５４】
入力機器Ｉ／Ｆ７０６は、電子黒板システムが有するキーボード７１０、マウス、デジタイザ７１１等からの入力を処理するものであり、電子黒板システムの操作に用いられるものである。
【００５５】
本実施の形態では、ディスプレイ７１２にタッチパネル等のデジタイザ７１１による入力操作を検出する手段を設けることにより、ディスプレイ７１２の画面へ直接操作することを可能にしている。
【００５６】
ディスプレイＩ／Ｆ７０７及びディスプレイ７１２は表示部であり、ＣＲＴ、プラズマディスプレイ、リアプロジェクションテレビまたは液晶ディスプレイ及びその制御回路によって構成される。電子黒板システムを用いた会議内容はこのディスプレイ７１２上の一部に表示される。
【００５７】
撮像装置Ｉ／Ｆ７０８及び撮像装置７１１３は、遠隔会議において電子黒板システムの近辺の状況を含む実画像の撮像に用いられるものであり、電子黒板システムにおいて遠隔会議の映像通信を行う際に用いられるものである。本実施の形態では撮像装置７１３の利用については詳述しない。
【００５８】
音声入出力機器Ｉ／Ｆ７０９は、電子黒板システムが有するマイク等の音声入力装置７１５、スピーカ等の音声出力装置７１６からの入出力を処理するものであり、電子黒板システムにおいて遠隔会議の音声通話を行う際に用いられ。本実施の形態では音声入力装置７１５、音声出力装置７１６の利用については詳述しない。符号７０１から７０９の各ブロックはシステムバス７１６に接続されている。
【００５９】
図４は、図１の電子黒板システムの機能構成を示す図である。
【００６０】
図４において、表示装置８０１は、表示手段８０３、入力検出手段８０４、入力装置判別手段８０５から構成されており、デジタイザ８０２は、入力通知手段８０７、入力装置判別手段８０８から構成される。
【００６１】
表示手段８０３は、図１に示されたリアプロジェクション型のスクリーン１０４であり、本電子黒板システムで利用される画面を表示している。ユーザ１０１、１０２は、表示手段８０３に表示されたアプリケーションをデジタイザ１０５、１０６を用いて操作するとともに、ユーザ１０１、１０２がデジタイザ１０５、１０６を用いて描画したテキストやイラストも表示される。
【００６２】
入力検出手段８０４は、デジタイザ８０２の入力通知手段８０７と連携することにより、ユーザによるデジタイザ８０２の操作を検出するものである。入力検出手段８０４により検出される情報としては、デジタイザが持つ固有の入力装置識別子情報と、デジタイザの位置情報と、デジタイザを画面にタッチすることにより発生するクリック情報が含まれる。
【００６３】
このことにより、入力検出手段８０４は、どのデジタイザ８０２がどの位置でクリック操作を行ったか検出することが可能である。入力されたデジタイザ８０２の情報は制御手段８０６に送られ、電子黒板システムへの操作として処理される。それによって、複数のユーザが複数のデジタイザ８０２を用いて操作した場合にも、デジタイザ８０２の入力座標を個別に判別できるため、複数のデジタイザ８０２を用いた同時操作が可能である。
【００６４】
例えば、デジタイザ８０２が電磁誘導方式の場合には、デジタイザ８０２の入力通知手段８０７は、共振装置、コンデンサ、センサコイル等により構成され、表示装置８０１の入力検出手段８０４は電磁誘導センサにより構成される。
【００６５】
表示装置８０１の入力装置判別手段８０５及び、デジタイザ８０２の入力装置判別手段８０８はデータ送受信を行う。デジタイザ８０２の入力装置判別手段８０８と、表示装置８０１の入力装置判別手段８０５の間で人体を通信媒体として利用し、人体内を介してデータが伝達される。伝達されるデータには、当該デジタイザ８０２に固有の入力装置判別情報が含まれ、情報は制御手段８０６に送られる。
【００６６】
図１、図４を例にすると、表示装置１０３、８０１の入力装置判別手段（機能ボタン）１０７、８０５はデジタイザ１０５、１０６、８０２の機能を示す複数のアイコンとして構成されている。
【００６７】
ユーザ１０１がデジタイザ１０５、８０２を握ると、入力装置判別手段８０８に触れることになる。この状態でユーザ１０１が表示装置１０３、８０１の入力装置判別手段１０７、８０５に触れると、デジタイザ１０５、８０２の入力装置判別手段８０８と表示装置１０３、８０１の入力装置判別手段８０５の間で人体を通信媒体とした通信が確立される。これにより、当該デジタイザに固有の入力装置判別情報がデジタイザ１０５、８０２から表示装置１０３、８０１に送信される。この動作については後で詳述する。
【００６８】
制御手段８０６は、本実施の形態の電子黒板システムをホワイトボードとして機能するために制御を行うものであり、表示手段８０３に表示するアプリケーション及び、ユーザがデジタイザを用いて描画したテキストやイラストを管理する。また、制御手段８０６は、ユーザがデジタイザを用いて操作を行った場合に、デジタイザの機能に応じて表示制御を行う。
【００６９】
図５は、図１におけるデジタイザの機能テーブルを示す図である。
【００７０】
図４の制御手段８０６は、本実施の形態の電子黒板システムで使用する複数のデジタイザの機能を個別に管理している。例えば、表示装置８０１の入力検出手段８０４により入力装置識別子情報「６２０８０７２３２１」を持つデジタイザによる入力を検出した場合、このデジタイザＡによる操作をカーソルツールによる操作として処理する。
【００７１】
ユーザ１０１が持つデジタイザ１０５の機能としてカーソルツールが割り当てられている場合、制御手段８０６は、ユーザ１０１が持つデジタイザ１０５による操作をアプリケーション操作として処理する。
【００７２】
制御手段８０６は、操作に対応して図１に示したようなウインドウの移動操作や、テキストやイラストなどのオブジェクトの移動操作として処理し、結果を表示手段８０３に表示するように制御を行う。
【００７３】
また、ユーザ１０２が持つデジタイザ１０６の機能としてペンツールが割り当てられている場合、制御手段８０６は、ユーザ１０２が持つデジタイザ１０６による操作を描画操作として処理する。
【００７４】
制御手段８０６は、操作に対応して図１に示したようなテキストやイラストを表示手段８０３に表示するように制御を行う。同様に、デジタイザ１０６の機能として消去ツールが割り当てられている場合には、制御手段８０６は、描画したテキストやイラストを消去する処理を行い、表示制御を行う。
【００７５】
図６は、図４の電子黒板システムによって実行される入力装置判別処理の手順を示すフローチャートである。
【００７６】
本処理は、図４における制御手段８０６によって実行される。
【００７７】
図６において、まず、デジタイザ１０５、８０２の入力装置判別手段８０８と表示装置１０３、８０１の入力装置判別手段８０５の間で人体を通信媒体とした通信が可能になるように、両入力装置判別手段を通信待機状態にする（ステップＳ６０１）。
【００７８】
次に、ユーザ１０１がデジタイザ１０５、８０２を握ると、入力装置判別手段８０８に触れることになる（ステップＳ６０２でＹＥＳ）。この状態でユーザ１０１が表示装置１０３、８０１の入力装置判別手段１０７、８０５であるアイコンに触れると（ステップＳ６０３でＹＥＳ）、入力装置判別手段８０８と入力装置判別手段８０５の間で人体を通信媒体とした通信が確立される。そして、当該デジタイザに固有の入力装置判別情報がデジタイザ１０５、８０２から表示装置１０３、８０１に送信される（ステップＳ６０４）。
【００７９】
入力装置判別手段８０５から制御手段８０６に入力装置判別情報とユーザが触れたアイコンに関する情報が送信され、制御手段８０６が管理する、図５に示すようなデジタイザ機能テーブルの内容が更新される（ステップＳ６０５）。
【００８０】
例えば、表示装置８０１の入力装置判別手段８０５により、入力装置識別子情報「６２０８０７２３２１」を持つデジタイザを手に持ったユーザが機能を示すアイコンに触れたことを検出した場合、このデジタイザＡの機能をアイコンに対応する機能に更新する。
【００８１】
この際に、デジタイザ１０５、８０２の機能変更をユーザが視認できるように、表示装置８０１の表示手段８０３に変更した機能を示すアイコンを数秒間ポップアップ表示させてもよい。
【００８２】
また、両判別手段８０５、８０８間で確立された通信を利用して、変更したデジタイザ機能の内容をデジタイザ１０５、８０２にフィードバックし、デジタイザ１０５、８０２の機能変更をユーザが視認できるようにデジタイザ１０５、８０２に表示してもよい。
【００８３】
例えば、デジタイザ１０５、８０２にＬＥＤを設け、機能に対応したＬＥＤを点灯させてもよいし、デジタイザ１０５、８０２に液晶画面を設け、液晶画面に機能を表示させてもよい。
【００８４】
最後に入力装置（デジタイザ）の判別が終了したとき（ステップＳ６０６でＹＥＳ）、本処理を終了する。
【００８５】
これにより、複数のユーザが同時に使用する電子黒板システムにおいても、操作を変更するためのＧＵＩを表示装置に表示しないため、表示装置はドキュメントの表示に最大限に利用可能である。
【００８６】
また、ユーザは、デジタイザの機能を変更するためにデジタイザを大きく移動させる必要がない。また、ユーザは、ペンジェスチャといった特殊な操作を覚えることなく機能に対応したアイコンに触れることにより、持っているデジタイザの機能が変更可能であり、直感的な操作を行うことが可能である。
【００８７】
（第２の実施の形態）
以下、本発明による電子黒板システムの第２の実施の形態について図面を参照しながら説明する。ここでは上述した第１の実施の形態との差異のみ説明を行う。
【００８８】
図７は、本発明の第２の実施の形態に係る電子黒板システムの外観を示す図である。
【００８９】
図７において、本実施の形態に係る電子黒板システムは、スクリーン１１０４を有するリアプロジェクション型の表示装置１１０３及び、入力装置としてのデジタイザ１１０５、１１０６から構成され、教育の場やオフィスにおいて電子黒板として用いられる。
【００９０】
スクリーン１１０４は、本電子黒板システムで描画される画面を表示しており、ユーザ１１０１、１１０２は、デジタイザ１１０５、１１０６を用いてテキストやイラストを描画し、また表示されたアプリケーションを操作しながら説明及び議論を行う。デジタイザ１１０５、１１０６の座標検出方式は、従来から実現されている光学式または電磁誘導方式を用いている。
【００９１】
第１の実施の形態においては、スクリーン１０４の左右にホワイトボード機能を操作するための機能を示すアイコンが描かれた入力装置判別手段（機能ボタン）１０７、８０５を配置した。
【００９２】
本実施の形態においては、スクリーン１１０４の周囲全てを入力装置判別手段１１０７、８０５とする。ユーザ１１０１がデジタイザ１１０５を持った状態で入力装置判別手段１１０７に触れると、入力装置判別手段８０８と入力装置判別手段８０５の間で人体を通信媒体とした通信が確立される。そして、当該デジタイザに固有の入力装置判別情報がデジタイザ１１０５、８０２から表示装置１１０３、８０１に送信される。
【００９３】
その場合、本実施の形態の制御手段８０６は、人体を通信媒体とした通信が確立状態の間はデジタイザ１１０５、８０２の機能としてカーソルツールを割り当て、ユーザ１１０１が持つデジタイザ１１０５による操作をアプリケーション操作として処理する。そして、御手段８０６は、操作に対応して図７に示したようなウインドウの移動操作や、テキストやイラストなどのオブジェクトの移動操作として処理し、結果を表示手段８０３に表示するように制御を行う。
【００９４】
また、ユーザ１１０２はデジタイザ１１０６を持っているが、表示装置１１０３、８０１の入力装置判別手段８０５、１１０７に触れていない。そのため、制御手段８０６は、デジタイザの機能としてペンツールを割り当て、ユーザ１１０２が持つデジタイザ１１０６による操作を描画操作として処理し、操作に対応して図７に示したようにテキストやイラストを表示手段８０３に表示するように制御を行う。
【００９５】
これにより、ユーザは表示装置１１０３に触れながらデジタイザ１１０５、１１０６を操作した場合には、ウインドウやオブジェクトの移動操作として処理されるため、周りを押さえながら操作した場合に移動やスクロールを行うといった直感的な操作が可能になる。
【００９６】
また、ユーザが持つデジタイザ毎にペンツール、またはカーソルツールを割り当てることが可能なため、１人がアプリケーションの操作をしながら、もう１人が描画操作を同時に行うことも可能である。
【００９７】
（第３の実施の形態）
以下、本発明による電子黒板システムの第３の実施の形態について、図面を参照しながら説明する。ここでは上述した第１の実施の形態との差異のみ説明を行う。
【００９８】
図８は、本発明の第３の実施の形態に係る電子黒板システムの外観を示す図である。
【００９９】
図８において、本実施の形態に係る電子黒板システムは、スクリーン１２０４を有するリアプロジェクション型の表示装置１２０３及び、入力装置としてのデジタイザ１２０５、１２０６から構成され、教育の場やオフィスにおいて電子黒板として用いられる。
【０１００】
本実施の形態では、第１の実施の形態に係る電子黒板システムに加え、予め消去ツールの機能が固定で割り当てられたイレーサー型デジタイザ１２０７が追加されている。
【０１０１】
従来の黒板またはホワイトボードのイレーサー同様の形状をした当該イレーサー型デジタイザ１２０７を操作することにより、ユーザが描画したテキストやイラストを消去することが可能である。デジタイザ１２０５、１２０６の機能を消去ツールに変更することなく、イレーサー型デジタイザ１２０７により消去操作が行えるため、より直感的な操作が可能となる。
【０１０２】
本実施の形態のイレーサー型デジタイザ１２０７による消去操作には、全てのペン型デジタイザによる描画を消去する全消去モードと、特定のデジタイザによってのみ描画された描画データのみ削除する個別消去モードの２種類のモードがある。
【０１０３】
本実施の形態では、ユーザがイレーサー型デジタイザ１２０７のみを持ち、操作した場合には全消去モードとなる。また、ユーザが特定のデジタイザ１２０５を持ちながら操作した場合には、当該デジタイザ１２０５によって描画された描画データを削除する、個別消去モードになるが、その動作について後述する。
【０１０４】
図９は、図８の電子黒板システムの機能構成を示す図である。
【０１０５】
図９において、表示装置１３０１は、表示手段１３０３、入力検出手段１３０４、入力装置判別手段１３０５から構成されている。ペン型デジタイザ１３０２Ａは、入力通知手段１３０７Ａ、入力装置判別手段１３０８Ａから構成され、第１の実施の形態と同様である。
【０１０６】
本実施の形態においては、これに加え、イレーサー型デジタイザ１３０２Ｂがあり、イレーサー型デジタイザ１３０２Ｂもペン型デジタイザ１３０２Ａ同様に、入力通知手段１３０７Ｂ、入力装置判別手段１３０８Ｂから構成される。
【０１０７】
入力検出手段１３０４は、イレーサー型デジタイザ１３０２Ｂの入力通知手段１３０７Ｂと連携することにより、ユーザによるイレーサー型デジタイザ１３０２Ｂの操作を検出するものである。
【０１０８】
入力検出手段１３０４により検出される情報としては、デジタイザが持つ固有の入力装置識別子情報と、デジタイザの位置情報と、デジタイザを画面にタッチすることにより発生するクリック情報が含まれる。このことにより、入力検出手段１３０４はどのデジタイザがどの位置でクリック操作を行ったか検出することが可能である。入力されたイレーサー型デジタイザ１３０２Ｂの情報は制御手段１３０６に送られることにより、電子黒板システムへの消去操作として処理される。
【０１０９】
ペン型デジタイザ１３０２Ａの入力装置判別手段１３０８Ａ及び、イレーサー型デジタイザ１３０２Ｂの入力装置判別手段１３０８Ｂはデータ送受信を行う。ペン型デジタイザ１３０２Ａの入力装置判別手段１３０８Ａ及び、イレーサー型デジタイザ１３０２Ｂの入力装置判別手段１３０８Ｂの間で人体を通信媒体として利用し、人体内を介してデータが伝達される。
【０１１０】
伝達されるデータには、当該ペン型デジタイザ１３０２Ａに固有の入力装置判別情報が含まれ、情報はイレーサー型デジタイザ１３０２Ｂの入力装置判別手段１３０８Ｂに送られる。
【０１１１】
図８を例にすると、ユーザ１２０２がペン型デジタイザ１２０６、１３０２Ａを握ると入力装置判別手段１３０８Ａに触れることになる。この状態でユーザ１２０２がイレーサー型デジタイザ１２０７、１３０２Ｂの入力装置判別手段１３０８Ｂに触れると、入力装置判別手段１３０８Ａと入力装置判別手段１３０８Ｂの間で人体を通信媒体とした通信が確立される。
【０１１２】
そして、当該ペン型デジタイザ１２０６、１３０２Ａに固有の入力装置判別情報がペン型デジタイザ１２０６、１３０２Ａの入力装置判別手段１３０８Ａからイレーサー型デジタイザ１２０７、１３０２Ｂの入力装置判別手段１３０８Ｂに送信される。この動作については後で詳述する。
【０１１３】
制御手段１３０６は、本実施の形態の電子黒板システムをホワイトボードとして機能するために制御を行うものであり、表示手段１３０３に表示するアプリケーション及び、ユーザがデジタイザを用いて描画したテキストやイラストを管理する。また、制御手段１３０６は、ユーザがデジタイザを用いて操作を行った場合に、デジタイザの機能に応じて表示制御を行う。
【０１１４】
図１０は、図９の電子黒板システムによって実行される入力装置判別処理の手順を示すフローチャートである。
【０１１５】
本処理は、図９における制御手段１３０６によって実行される。
【０１１６】
図１０において、まず、入力装置判別手段１３０８Ａと入力装置判別手段１３０８Ｂの間で人体を通信媒体とした通信が可能になるように、入力装置判別手段１３０８Ａと入力装置判別手段１３０８Ｂを通信待機状態にする（ステップＳ１００１）。
【０１１７】
次に、ユーザ１２０２がイレーサー型デジタイザ１２０７、１３０２Ｂを握ると入力装置判別手段１３０８Ｂに触れることになる（ステップＳ１００２でＹＥＳ）。この状態において、ユーザ１２０２がペン型デジタイザ１２０６、１３０２Ａも握っている場合、ペン型デジタイザ１２０６、１３０２Ａの入力装置判別手段１３０８Ａに触れることになる（ステップＳ１００３でＹＥＳ）。
【０１１８】
ペン型デジタイザ１２０６、１３０２Ａの入力装置判別手段１３０８Ａとイレーサー型デジタイザ１２０７、１３０２Ｂの入力装置判別手段１３０８Ｂの間で人体を通信媒体とした通信が確立される。当該ペン型デジタイザ１２０６、１３０２Ａに固有の入力装置判別情報が入力装置判別手段１３０８Ａから入力装置判別手段１３０８Ｂに送信される（ステップＳ１００４）。
【０１１９】
次に、ユーザ１２０２がイレーサー型デジタイザ１２０７、１３０２Ｂにより消去操作を行うと、入力検出手段１３０４がその操作を検出する（ステップＳ１００５でＹＥＳ）。検出される情報としては、イレーサー型デジタイザ１２０７、１３０２Ｂが持つ固有の入力装置識別子情報と、デジタイザの位置情報と、デジタイザを画面にタッチすることにより発生するクリック情報が含まれる。
【０１２０】
さらに、ユーザ１２０２がイレーサー型デジタイザ１２０７、１３０２Ｂにより消去操作を行うと、上記の情報に加えて入力検出手段１３０４にペン型デジタイザ１２０６、１３０２Ａに固有の入力装置判別情報が通知される。
【０１２１】
消去操作に際し、ペン型デジタイザ１２０６、１３０２Ａに固有の上記入力装置判別情報が含まれる場合（ステップＳ１００６でＹＥＳ）、その消去操作は制御手段１３０６により個別消去モードとして処理される（ステップＳ１００７）。ペン型デジタイザ１２０６、１３０２Ａにより描画されたテキスト及びイラストのみが消去され、その他のペン型デジタイザ１２０５により描画されたテキスト及びイラストは消去されない。
【０１２２】
例えば、図８において、ユーザ１２０２が描画した、「先週の定例では」という描画データ１２０９及び、ユーザ１２０１により描画された描画データ１２０８が表示されている。この場合、ユーザ１２０２はペン型デジタイザ１２０６を持ちながらイレーサー型デジタイザ１２０７で消去操作を行った場合、ユーザ１２０２自身が描画した描画データ１２０９のみ消去される。
【０１２３】
また、消去操作に際し、ペン型デジタイザ１２０６、１３０２Ａに固有の上記入力装置判別情報が含まれない場合（ステップＳ１００６でＮＯ）、その消去操作は、制御手段１３０６により全消去モードとして処理される（ステップＳ１００８）。この場合、全てのペン型デジタイザ１２０５、１２０６により描画されたテキスト及びイラストのみが消去される。
【０１２４】
例えば、図８において、ユーザ１２０２が描画した、「先週の定例では」という描画データ１２０９及び、ユーザ１２０１により描画された描画データ１２０８が表示されている。ユーザ１２０２がペン型デジタイザ１２０６を持たずにイレーサー型デジタイザ１２０７で消去操作を行った場合、ユーザ１２０２自身が描画した描画データ１２０９及びユーザ１２０１により描画された描画データ１２０８も消去される。
【０１２５】
また、入力装置判別手段１３０８Ａと入力装置判別手段１３０８Ｂの間で人体を通信媒体とした通信が確立している際には、イレーサー型デジタイザ１２０７、１３０２Ｂが個別消去モードであることをユーザが視認できるようにする。
【０１２６】
例えば、イレーサー型デジタイザ１２０７、１３０２ＢにＬＥＤを設け、消去モードに対応したＬＥＤを点灯させてもよいし、イレーサー型デジタイザ１２０７、１３０２Ｂに液晶画面を設け、液晶画面に消去モードを表示させてもよい。
【０１２７】
最後に、入力装置判別手段１３０８Ａ、１３０８Ｂによる判別処理を終了し（ステップＳ１００９でＹＥＳ）本処理を終了する。
【０１２８】
これにより複数のユーザが同時に使用する電子黒板システムにおいても、操作を変更するためのＧＵＩを表示装置に表示しないため、表示装置はドキュメントの表示に最大限に利用可能である。また、ユーザはデジタイザによる消去方法をメニューから選択し変更する必要がなく、また、ユーザは、ペンジェスチャといった特殊な操作を覚えることなく消去方法の変更を行うことができ、直感的な操作を行うことが可能である。
【０１２９】
実用において、ペン型デジタイザを持ちながらイレーサー型デジタイザにより消去操作を行う場合は、ペン型デジタイザにより描画操作を行っている最中にちょっとした描画ミスを訂正する場合が多い。そのため、本実施の形態のように、同時に持っているペン型デジタイザによる描画のみを消去することは、電子黒板システムにおいて最適である。
【０１３０】
（第４の実施の形態）
以下、本発明による電子黒板システムの第４の実施の形態について図面を参照しながら説明する。ここでは上述した第１の実施の形態との差異のみ説明を行う。
【０１３１】
図１１は、本発明の第４の実施の形態に係る電子黒板システムの外観を示す図である。
【０１３２】
図１１において、本実施の形態に係る電子黒板システムは、スクリーン１５０４を有するリアプロジェクション型の表示装置１５０３及び、入力装置としてのデジタイザ１５０５、１５０６を備える。また、本実施の形態に係る電子黒板システムは、表示装置１５０３を制御するリモートコントロール装置１５０７を備え、教育の場やオフィスにおいて電子黒板として用いられる。
【０１３３】
スクリーン１５０４、本電子黒板システムで描画される画面を表示しており、ユーザ１５０１、１５０２はデジタイザ１５０５、１５０６を用いてテキストやイラストを描画し、また表示されたアプリケーションを操作しながら説明及び議論を行う。
【０１３４】
リモートコントロール装置１５０７は、表示装置１５０３の映像チャンネルを切り替えたり、音量を制御するための装置であり、従来から実現されている赤外線方式または無線方式を用いて表示装置１５０３に指示を行う。
【０１３５】
図１２は、図１１におけるリモートコントロール装置の構成を示す図である。また、図１３は、図１１の電子黒板システムの機能構成を示す図である。
【０１３６】
第１の実施の形態においては、スクリーン１０４の左右にホワイトボード機能を操作するための機能を示すアイコンが描かれた入力装置判別手段１０７、８０５を配置した。
【０１３７】
本実施の形態においては、図１２に示されるようにリモートコントロール装置１６０１に入力装置判別手段１６０２Ａ乃至１６０２Ｆを設ける。ユーザ１５０１がデジタイザ１５０５を持った状態でリモートコントロール装置１５０７のアイコンに触れると、即ち入力装置判別手段１６０２Ａ乃至１６０２Ｆ、１７０５に触れると、以下の動作が行われる。
【０１３８】
デジタイザ１５０５、１７０２の入力装置判別手段１７０８と、リモートコントロール装置１５０７、１７０１Ｂの入力装置判別手段１７０５の間で人体を通信媒体とした通信が確立される。そして、当該デジタイザに固有の入力装置判別情報がデジタイザ１５０５、１７０２からリモートコントロール装置１５０７、１７０１Ｂに送信される。
【０１３９】
当該デジタイザに固有の入力装置判別情報がデジタイザ１５０５、１７０２から通知された場合、以下の動作が行われる。
【０１４０】
リモートコントロール装置１５０７、１７０１Ｂのリモコン送信手段１７０９は、表示装置１５０３、１７０１Ａのリモコン受信手段１７１０に入力装置判別情報とユーザが触れたアイコンに関する情報を送信する。表示装置１５０３、１７０１Ａのリモコン受信手段１７１０は受信した情報を制御手段１７０６に送信する。
【０１４１】
この際に、制御手段１７０６は自身が管理する図５に示すようなデジタイザ機能テーブルの内容を更新する。例えば、入力装置判別手段１７０５により入力装置識別子情報「６２０８０７２３２１」を持つデジタイザを手に持ったユーザが機能を示すアイコンに触れたことを検出した場合、その情報は制御手段１７０６に送られる。そして、制御手段１７０６は、このデジタイザＡの機能をアイコンに対応する機能に更新する。
【０１４２】
これにより、デジタイザの機能を変更しようとデジタイザを持ったユーザがリモートコントロール装置のアイコンを押下した場合、リモートコントロール装置を操作したユーザが持つデジタイザの機能のみを変更することができる。複数のユーザが複数のデジタイザを使用している場合にも他のデジタイザの機能に影響を与えないため、全てのユーザが直感的な操作を行うことができる。
【０１４３】
また、第３の実施の形態のイレーサー型デジタイザに本実施の形態のリモートコントロール装置を組み合わせてもよい。
【０１４４】
第２の実施の形態では、表示装置の周囲全てに入力装置判別手段を設けたが、入力装置判別手段を表示装置の一部に設けてもよい。例えば、表示装置のデジタイザ置きに入力装置判別手段を設け、ユーザがこのデジタイザ置きに触れながらデジタイザを操作した場合にデジタイザの機能を変更してもよい。
【０１４５】
また、第２の実施の形態では、表示装置に触れながらデジタイザを操作した場合にはカーソルツールによるアプリケーションの操作として処理し、表示装置に触れずにデジタイザを操作した場合にはペンツールによる描画操作として処理する場合について説明した。しかし、変更するデジタイザの機能はこれに限定するものではない。
【０１４６】
また、第３の実施の形態では、第１の入力装置としてペン型のデジタイザ、第２の入力装置としてイレーサー型のデジタイザを例にして説明した。しかし、第１の入力装置及び第２の入力装置はそれに限定するものではなく、また第２の入力装置による操作で変更される機能は消去操作に限定するものではない。
【０１４７】
また、第１乃至第４の実施の形態を適宜組み合わせて利用する、あるいは一部のみを利用することも可能である。
【図面の簡単な説明】
【０１４８】
【図１】本発明の第１の実施の形態に係る電子黒板システムの外観を示す図である。
【図２】図１の電子黒板システムの光学配置を示す図である。
【図３】図１の電子黒板システムのハードウェア構成を示す図である。
【図４】図１の電子黒板システムの機能構成を示す図である。
【図５】図１におけるデジタイザの機能テーブルを示す図である。
【図６】図４の電子黒板システムによって実行される入力装置判別処理の手順を示すフローチャートである。
【図７】本発明の第２の実施の形態に係る電子黒板システムの外観を示す図である。
【図８】本発明の第３の実施の形態に係る電子黒板システムの外観を示す図である。
【図９】図８の電子黒板システムの機能構成を示す図である。
【図１０】図９の電子黒板システムによって実行される入力装置判別処理の手順を示すフローチャートである。
【図１１】本発明の第４の実施の形態に係る電子黒板システムの外観を示す図である。
【図１２】図１１におけるリモートコントロール装置の構成を示す図である。
【図１３】図１１の電子黒板システムの機能構成を示す図である。
【図１４】第１の従来例に係る電子黒板システムにおけるユーザ操作を示す図である。
【図１５】第２の従来例に係る電子黒板システムにおけるユーザ操作を示す図である。
【図１６】第３の従来例に係る電子黒板システムにおけるユーザ操作を示す図である。
【図１７】第４の従来例に係る電子黒板システムにおけるユーザ操作を示す図である。
【符号の説明】
【０１４９】
１０１、１０２  ユーザ
１０３  表示装置
１０４  スクリーン
１０５、１０６  デジタイザ
１０７  機能ボタン
６０１  筐体
６０２  映像出力源
６０３  反射ミラー
６０４  フレネルレンズ
６０５  レンチキュラースクリーン
６０６  冷却装置
７０１  ＣＰＵ
７０２  ＲＡＭ
７０３  ＲＯＭ
７０４  ＨＤＤ
７０５  ネットワークＩ／Ｆ
７０６  入力機器Ｉ／Ｆ
７０７  ディスプレイＩ／Ｆ
７０８  撮像装置Ｉ／Ｆ
７０９  音声入出力機器Ｉ／Ｆ
７１０  キーボード
７１１  デジタイザ
７１２  ディスプレイ
７１３  撮像装置
７１４  音声入力装置
７１５  音声出力装置
８０１  表示装置
８０２  デジタイザ
８０３  表示手段
８０４  入力検出手段
８０５  入力装置判別手段
８０６  制御手段
８０７  入力通知手段
８０８  入力装置判別手段
１１０１、１１０２  ユーザ
１１０３  表示装置
１１０４  スクリーン
１１０５、１１０６  デジタイザ
１１０７  入力装置判別手段
１２０１、１２０２  ユーザ
１２０３  表示装置
１２０４  スクリーン
１２０５、１２０６  ペン型デジタイザ
１２０７  イレーサー型デジタイザ
１２０８、１２０９  描画データ
１３０１  表示装置
１３０２Ａ  ペン型デジタイザ
１３０２Ｂ  イレーサー型デジタイザ
１３０３  表示手段
１３０４  入力検出手段
１３０５  入力装置判別手段
１３０６  制御手段
１３０７Ａ、１３０７Ｂ  入力通知手段
１３０８Ａ、１３０８Ｂ  入力装置判別手段
１５０１、１５０２  ユーザ
１５０３  表示装置
１５０４  スクリーン
１５０５、１５０６  デジタイザ
１５０７  リモートコントロール装置
１６０１  リモートコントロール装置
１６０２  機能ボタンを図示した入力装置判別手段
１７０１Ａ  表示装置
１７０２Ｂ  リモートコントロール装置
１７０２  デジタイザ
１７０３  表示手段
１７０４  入力検出手段
１７０５  入力装置判別手段
１７０６  制御手段
１７０７  入力通知手段
１７０８  入力装置判別手段
１７０９  リモコン送信手段
１７１０  リモコン受信手段
１７１１  入力通知手段
【図１】
2008118301.tif 000003
【図２】
2008118301.tif 000004
【図３】
2008118301.tif 000005
【図４】
2008118301.tif 000006
【図５】
2008118301.tif 000007
【図６】
2008118301.tif 000008
【図７】
2008118301.tif 000009
【図８】
2008118301.tif 000010
【図９】
2008118301.tif 000011
【図１０】
2008118301.tif 000012
【図１１】
2008118301.tif 000013
【図１２】
2008118301.tif 000014
【図１３】
2008118301.tif 000015
【図１４】
2008118301.tif 000016
【図１５】
2008118301.tif 000017
【図１６】
2008118301.tif 000018
【図１７】
2008118301.tif 000019